(57)【要約】    本発明は、航空機の飛行制御に肩回転軸と腕回転軸という新たな概念を導入し、垂直離着陸と通常の飛行を同一の機構で制御することにより、既存の航空機の飛行制御の概念では不可能であった離着陸専用の機構を使用しない垂直離着陸機を実現する方法である。これを導入することにより、航空機の機体から尾翼と補助翼が不要になりその製造・保守・運用の費用を低減でき、垂直離着陸機の機体が抱える、機動性と航続距離性能の問題が回避可能となった。
2019186918.tif 000002
【特許請求の範囲】
【請求項１】
航空機の機体正面図を、Ｙ軸を縦軸とするＸＹ平面で表す３次元の直交座標を機体座標とし、これを基準とし下記の（１）から（４）を定義するとき、
（１）肩回転軸：Ｙ軸と平行な軸の上部を、Ｚ軸を中心に４５°から６０°の範囲で回転させ機体外側に向けて傾け、Ｘ軸を中心に２０°から３５°の範囲で回転させ機体の機首方向に傾けた軸。
（２）肩座標：肩回転軸を、原点を通るＹ軸とする直交座標。
（３）腕回転軸：肩回転軸にとりつけられた機体外側に向けて伸びる軸で、肩座標Ｘ軸と平行な軸を、肩座標Ｚ軸を中心に２０°から３５°の範囲で回転させ、その軸の先を機体上方向に傾けた肩座標Ｚ＝０を通る軸。
（４）揚力点：航空機の主翼片側一枚に働く揚力を１つの点として表すもの。
１組以上の肩回転軸と腕回転軸を航空機の機体左右に設け、それらの腕回転軸に取り付けられた機体揚力源により生じる揚力点の機体との相対的な位置を、肩回転軸を回転させることにより変化させ、それらの揚力点に生じる揚力の向きを、腕回転軸を回転させることにより変化させ、それらの変化の組み合わせにより航空機を制御する方法であって、尾翼と補助翼を使用しないことを特徴とする。
【請求項２】
請求項１における腕回転軸を、肩座標Ｚ≠０を通る腕回転軸で置き換えた請求項１の方法。
【発明の詳細な説明】
【技術分野】
【０００１】
本発明は、航空機の飛行制御方法に関するものである。
【背景技術】
【０００２】
現在、垂直離着陸可能な航空機が実用に供されている。【０００３】
しかし、それらの垂直離着陸は垂直離着陸専用の機構を備えることによりその機能を実現しているため、通常離着陸型の航空機の機体より構造が複雑で重いという問題があった。【０００４】
それらの垂直離着陸用の機構は通常の飛行時には機能せず、それらの尾翼は垂直離着陸時には機能せず、常に、飛行に貢献しない重量物を機体に抱えているという問題があった。【０００５】
また、それらは垂直離着陸時と通常の飛行時とで異なる機構で飛行制御を行うことから、それらを飛行させるにはこの２種類の制御方法を習得する必要があった。【０００６】
これらの理由により、垂直離着陸機の機体は、製造・保守・運用の費用は通常離着陸機より増加するにも係らず、その機動性と航続距離性能は通常離着陸型より劣るという問題が避けられなかった。
【発明の概要】
【発明が解決しようとする課題】
【０００７】
解決しようとする問題点は、現状の垂直離着陸機が垂直離着陸用と通常の飛行用との２種類の機構と異なる２つの制御を必要とする点である
【課題を解決するための手段】
【０００８】
本発明は、航空機の飛行制御に肩回転軸と腕回転軸という概念を導入することにより、垂直離着陸と通常の飛行を同一の機構で制御することを特徴とする。
【発明の効果】
【０００９】
本発明の飛行制御方法を採用する航空機は、垂直離着陸機であっても、垂直離着陸専用の機構と制御を持たないためその構造がより単純で、本発明を採用する通常離着陸機と同一の方法で操縦できるという利点がある。
【図面の簡単な説明】
【００１０】
【図１】肩回転軸２の左側を５５°に、右側を−３５°に、両腕回転軸３を３０°に回転させた機体の機体座標の斜視図である。（実施例１）
【図２】図１の正面図である。
【図３】図１の側面図である。
【図４】図１の底面図である。
【図５】肩回転軸２と腕回転軸３を左右対称に（それぞれ５５°と３０°）回転させた機体の、機体座標の平面図である。（実施例１）
【図６】図５で水平飛行する機体の、空間姿勢の側面図である。
【図７】肩回転軸２と腕回転軸３を左右対称に（それぞれ３３°と５２°）回転させた機体の、機体座標の平面図である。（実施例１）
【図８】図７で機首上げした機体の、空間姿勢の側面図である。
【図９】肩回転軸２と腕回転軸３を左右対称に（それぞれ７５°と０°）回転させた機体の、機体座標の平面図である。（実施例１）
【図１０】図９で機首下げした機体の、空間姿勢の側面図である。
【図１１】肩回転軸２の左右を非対称に（左側５５°、右側−３５°）回転させ、腕回転軸３を左右対称に（６０°）回転させた機体の、機体座標の平面図である。（実施例１）
【図１２】図１１で旋回する機体の、空間姿勢の平面図である。
【図１３】図１２の背面図である。
【図１４】肩回転軸２を左右対称に、腕回転軸３の左右を非対称に回転させた、ロールする機体の機体座標の正面図である。（実施例１）
【図１５】肩回転軸２の左側を４５°に回転させ、右側を−３５°に回転させ、両腕回転軸３を９０°に回転させた機体の、機体座標の斜視図である。（実施例２）
【図１６】図１５の正面図である。
【図１７】図１５の側面図である。
【図１８】肩回転軸２と腕回転軸３を左右対称に（それぞれ４５°と９０°）回転させた機体の、機体座標の平面図である。（実施例２）
【図１９】図１８で水平飛行する機体の、空間姿勢の側面図である。
【図２０】肩回転軸２と腕回転軸３を左右対称に（それぞれ２５°と９０°）回転させた機体の、機体座標の平面図である。（実施例２）
【図２１】図２０で機首上げした機体の、空間姿勢の側面図である。
【図２２】肩回転軸２と腕回転軸３を左右対称に（それぞれ６５°と９０°）回転させた機体の、機体座標の平面図である。（実施例２）
【図２３】図２２で機首下げした機体の、空間姿勢の側面図である。
【図２４】肩回転軸２の左右を非対称に（左側４５°、右側−３５°）回転させ、腕回転軸３を左右対称に（９０°）回転させた機体の、機体座標の平面図である。（実施例２）
【図２５】図２４で旋回する機体の、空間姿勢の平面図である。
【図２６】図２５の背面図である。
【図２７】肩回転軸２と腕回転軸３を左右対称に（それぞれ２５°と９０°）回転させた、機首上げで空間停止する機体の空間姿勢の平面図である。（実施例２）
【図２８】肩回転軸２を左右対称に、腕回転軸３の左右を非対称に（左側３０°、右側１２０°）それぞれ回転させ、機首上げで空間停止しながらヨー軸で回転する機体の、空間姿勢の平面図である。（実施例２）
【図２９】図２８の側面図である。
【図３０】肩回転軸２と腕回転軸３を左右対称に（それぞれ２５°と１２０°）回転させ、機首上げで空間停止しながら後退する機体の、空間姿勢の平面図である。（実施例２）
【図３１】肩回転軸２の左右を非対称に（左側２５°、右側０°）回転させ、腕回転軸３を左右対称に（９０°）回転させた機体の、機体座標の平面図である。
【図３２】図３１で空間停止しながら横へ移動する機体の、空間姿勢の平面図である。（実施例２）
【図３３】図３２の正面図である。
【図３４】水平飛行する機体の、空間姿勢の斜視図である。（実施例３）
【図３５】機首上げで空間停止する機体の、空間姿勢の平面図である。（実施例３）
【図３６】図３５の斜視図である。（実施例３）
【発明を実施するための形態】
【００１１】
以下に３つの実施例について説明する。
【実施例１】
【００１２】
図１〜１４は、本発明の方法で飛行制御を行う通常離着陸型の航空機である。【００１３】
図５と図６は、この機体が水平飛行する際の、肩回転軸２と腕回転軸３の状態を示す機体座標図と、その状態で飛行する際の空間姿勢の図である。この機体は肩回転軸２を回転させ機体左右の揚力点５と機体の重力中心点４の機体座標Ｚの位置を同じにすることにより、機体を水平にバランスさせて水平飛行し、腕回転軸３を回転させることにより翼６に生じる揚力点５の揚力の向きを調整する。【００１４】
図７から図１０は、この機体のピッチ制御の方法を示す機体座標図とその空間姿勢の図である。肩回転軸２を回転させ機体両側の揚力点５を機体の重力中心点４より機体前方に移動させることにより、両揚力点５を結ぶ直線を軸に機体の重力中心点４が回転しその下に移動し安定しようとすることを利用し機首上げのピッチ制御を行う。同様に、両揚力点５を機体の重力中心点４より機体後方に移動させることにより、機首下げを行う。【００１５】
図１１から図１３は、この機体の旋回制御の方法を示す機体座標図とその空間姿勢の図である。２つの肩回転軸２のうちの、旋回時に内側となる側の軸の回転角をその外側となる軸より減少させ、旋回内側の揚力点５を外側の揚力点５より機体前方に移動させることにより、両揚力点５を結ぶ直線に機体座標のＸ軸、Ｙ軸、Ｚ軸のそれぞれに対する傾きを作りだし、その傾きを有する軸を中心に機体の重力中心点４が回転しその下に移動し安定しようとすることを利用し機首上げ制御とロール制御の２つを行い、肩回転軸２の回転角を減少させたことにより、迎角が増加した旋回内側の翼６が空気抵抗で減速することによりその翼６を中心としたヨー軸の回転を制御して旋回する。【００１６】
図１４は、この機体のロール制御の方法を示す機体座標図である。腕回転軸３の左右を非対称に回転させ揚力の向きの左右を非対称に傾けることによりロール制御を行う。
【実施例２】
【００１７】
図１５〜図３３は、本発明の方法で飛行制御を行う垂直離着陸型の航空機である。【００１８】
図１８と図１９は、この機体の水平飛行時の機体座標図とその空間姿勢の図である。実施例１との制御方法上の差異はなく、異なるのはこの機体の揚力源が翼６ではなくプロペラ回転面８である点だけである。【００１９】
図２０から図２３は、この機体のピッチ制御の方法を示す機体座標図とその空間姿勢の図である。この制御方法は実施例１と同じである。【００２０】
図２４から図２６は、この機体の旋回制御の方法を示す機体座標図とその空間姿勢の図である。この制御方法は実施例１と同じで、異なるのはこの機体のヨー軸の回転を得るために利用する空気抵抗源が翼６ではなくプロペラ回転面８である点だけである。【００２１】
この機体のロール制御の方法も実施例１と同じである。【００２２】
図２７は、この機体が機首上げして空間停止する際の機体座標図である。このピッチ制御も実施例１と同じである。【００２３】
図２８は、この機体が機首上げして空間停止しながら、ヨー軸で回転する際の空間姿勢の図である。腕回転軸３の左右を非対称に回転させ揚力点５の揚力の向きの左右を非対称に傾けることにより機体を中心としたヨー軸の回転制御を行う。【００２４】
図２９は、図２８の側面図である。【００２５】
図３０は、この機体が機首上げして空間停止しながら、後退する際の空間姿勢の図である。腕回転軸３を左右対称に回転させ両揚力点５の揚力の向きを機体後方に傾けることにより後退する。【００２６】
図３１は、この機体が機首上げして空間停止しながら、機体の横方向に移動する際の機体座標図である。２つの肩回転軸２のうちの、横移動時に進行方向の前となる側の軸の回転角をその後となる側の軸より減少させ、進行方向の前となる側の揚力点５をその後となる側の側揚力点５より機体前方に移動させることにより、両揚力点５を結ぶ直線に機体座標のＸ軸、Ｙ軸、Ｚ軸のそれぞれに対する傾きを作りだし、その傾きを有する軸を中心に機体の重力中心点４が回転しその下に移動し安定しようとすることを利用し、機首上げのピッチ制御とロール制御をおこない、その結果機体とともに揚力点５の揚力の向きが横方向へ傾くこと利用し、横方向へ移動する。【００２７】
図３２と図３３は、図３１の空間姿勢の図である。
【実施例３】
【００２８】
図３４から図３６は、本発明の請求項２を採用する垂直離着陸機であり翼６の上にジェットエンジンを備える。この機体の飛行制御の方法は実施例２と同じである。
【符号の説明】
【００２９】
１    機首
２    肩回転軸
３    腕回転軸
４    機体の重力中心点
５    揚力点
６    翼
７    プロペラ軸
８    プロペラ回転面
【図１】
2019186918.tif 000003
【図２】
2019186918.tif 000004
【図３】
2019186918.tif 000005
【図４】
2019186918.tif 000006
【図５】
2019186918.tif 000007
【図６】
2019186918.tif 000008
【図７】
2019186918.tif 000009
【図８】
2019186918.tif 000010
【図９】
2019186918.tif 000011
【図１０】
2019186918.tif 000012
【図１１】
2019186918.tif 000013
【図１２】
2019186918.tif 000014
【図１３】
2019186918.tif 000015
【図１４】
2019186918.tif 000016
【図１５】
2019186918.tif 000017
【図１６】
2019186918.tif 000018
【図１７】
2019186918.tif 000019
【図１８】
2019186918.tif 000020
【図１９】
2019186918.tif 000021
【図２０】
2019186918.tif 000022
【図２１】
2019186918.tif 000023
【図２２】
2019186918.tif 000024
【図２３】
2019186918.tif 000025
【図２４】
2019186918.tif 000026
【図２５】
2019186918.tif 000027
【図２６】
2019186918.tif 000028
【図２７】
2019186918.tif 000029
【図２８】
2019186918.tif 000030
【図２９】
2019186918.tif 000031
【図３０】
2019186918.tif 000032
【図３１】
2019186918.tif 000033
【図３２】
2019186918.tif 000034
【図３３】
2019186918.tif 000035
【図３４】
2019186918.tif 000036
【図３５】
2019186918.tif 000037
【図３６】
2019186918.tif 000038
【国際調査報告】
2019186918.tif 000039
2019186918.tif 000040
2019186918.tif 000041
2019186918.tif 000042